(57)【要約】【課題】片面印写後の用紙の印写面が擦られるなどして安定した画像品質で両面印写を行うことができない。【解決手段】記録ヘッド１４による印写位置に対して用紙３を略水平な搬送面に沿って搬送する搬送ベルト２３と、用紙３との接触箇所が搬送面よりも高い位置に配置された排紙ローラ４５と、排紙ローラ４５の上流側に配置され、略水平な搬送面に対して排紙ローラ４５に向けて高くなるように傾斜するガイド部材４２と、を備え、記録ヘッド１４は用紙３に向けて下方にインク滴を吐出し、用紙３の両面に印写するとき、片面印写後の用紙３の一部を、印写位置から用紙３の印写面が上を向いた状態のまま、排紙ローラ４５で装置本体外の排紙トレイ６上に排出した後、用紙３の印写面が上を向いた状態で、排紙トレイ６上において片面印写のインク量に応じた待機時間が経過するまで待機する。【選択図】図４
2008080808.tif 000002
【特許請求の範囲】
【請求項１】
インクジェットヘッドからインク滴を吐出させて用紙上に画像を形成するインクジェット記録装置において、
前記インクジェットヘッドによる印写位置に対して前記用紙を略水平な搬送面に沿って搬送する搬送手段と、
前記用紙との接触箇所が前記搬送面よりも高い位置に配置された排紙ローラと、
前記排紙ローラの上流側に配置され、前記略水平な搬送面に対して前記排紙ローラに向けて高くなるように傾斜するガイド部材と、を備え、
前記インクジェットヘッドは、前記用紙に向けて下方にインク滴を吐出し、
前記用紙の両面に印写するとき、
片面印写後の前記用紙の一部を、前記印写位置から用紙の印写面が上を向いた状態のまま、前記排紙ローラで装置本体外の排紙トレイ上に排出した後、
前記用紙の印写面が上を向いた状態で、前記排紙トレイ上において前記片面印写のインク量に応じた待機時間が経過するまで待機し、
前記待機時間の経過後に前記用紙を前記インクジェットヘッドによる印写位置に搬送して、他方の面に印写し、排紙する
ことを特徴とするインクジェット記録装置。
【請求項２】
請求項１に記載のインクジェット記録装置において、前記片面印写後の用紙を乾燥する乾燥手段を備えていることを特徴とするインクジェット記録装置。
【発明の詳細な説明】
【技術分野】
【０００１】
本発明はインクジェット記録装置に関し、特に両面印写（両面記録）が可能なインクジェット記録装置に関する。
【背景技術】
【０００２】
プリンタ、複写装置、ファクシミリ、プロッタ等の画像記録装置或いは画像形成装置として用いるインクジェット記録装置において、両面印写を可能にしたものとしては、特許文献１に記載されているように、記録装置内に、記録紙に画像情報を記録する第１の記録部と、この第１の記録部の上方に配置した第２の記録部とを設け、第１の記録部には第１の記録手段を、第２の記録部には第２の記録手段を備え、第１の記録部に記録紙を送給する第１の給紙手段と、第１の記録部に送給されて記録が終了した記録紙を第２の記録部に搬送する記録紙搬送手段と、第２の記録部に記録紙を送給する第２の給紙手段と、第２の記録部に搬送された記録紙を排出する記録紙排出手段とを備えたものがある。
【特許文献１】特開平８−３３７０１１号公報
【０００３】
この記録装置にあっては、記録紙の両面に印写を行う場合、第１の給紙手段から第１の記録部に記録紙を給紙して第１の記録手段で記録紙の片面に記録し、この片面への記録が終了した記録紙をガイド部材によって案内しながら記録紙搬送手段によって上方の第２の記録部に給紙して第２の記録手段で記録紙の他面に記録した後、記録紙排出手段によって記録紙を装置本体外に排紙する。
【発明の開示】
【発明が解決しようとする課題】
【０００４】
しかしながら、上述したように記録紙を記録装置本体内で第１の記録部から第２の記録部へ搬送して両面印写を行うインクジェット記録装置にあっては、複数の記録部を装置内に配置しなければならないために構造が複雑になり、装置が大型化し、コストが高くなる。また、第１、第２の記録部を上下に配置して、下方の第１の記録部から上方の第２の記録部に印写後の記録紙を搬送するときにガイド部材によって印写面が擦られることになるが、インクジェット記録の場合にはインクの乾燥に時間を要するために印写直後の画像が擦られると画像品質が低下する。
【０００５】
本発明は上記の点に鑑みてなされたものであり、画像品質が安定し、小型化を図れる両面印写が可能なインクジェット記録装置を提供することを目的とする。
【課題を解決するための手段】
【０００６】
上記の課題を解決するため、本発明に係るインクジェット記録装置は、インクジェットヘッドによる印写位置に対して用紙を略水平な搬送面に沿って搬送する搬送手段と、用紙との接触箇所が搬送面よりも高い位置に配置された排紙ローラと、排紙ローラの上流側に配置され、略水平な搬送面に対して排紙ローラに向けて高くなるように傾斜するガイド部材と、を備え、インクジェットヘッドは、用紙に向けて下方にインク滴を吐出し、用紙の両面に印写するとき、片面印写後の用紙の一部を、印写位置から用紙の印写面が上を向いた状態のまま、排紙ローラで装置本体外の排紙トレイ上に排出した後、用紙の印写面が上を向いた状態で、排紙トレイ上において片面印写のインク量に応じた待機時間が経過するまで待機し、待機時間の経過後に用紙をインクジェットヘッドによる印写位置に搬送して、他方の面に印写し、排紙する構成とした。
【０００７】
ここで、片面印写後の用紙を乾燥する乾燥手段を備えている構成とできる。
【発明の効果】
【０００８】
本発明に係るインクジェット記録装置よれば、インクジェットヘッドによる印写位置に対して用紙を略水平な搬送面に沿って搬送する搬送手段と、用紙との接触箇所が搬送面よりも高い位置に配置された排紙ローラと、排紙ローラの上流側に配置され、略水平な搬送面に対して排紙ローラに向けて高くなるように傾斜するガイド部材と、を備え、インクジェットヘッドは、用紙に向けて下方にインク滴を吐出し、用紙の両面に印写するとき、片面印写後の用紙の一部を、印写位置から用紙の印写面が上を向いた状態のまま、排紙ローラで装置本体外の排紙トレイ上に排出した後、用紙の印写面が上を向いた状態で、排紙トレイ上において片面印写のインク量に応じた待機時間が経過するまで待機し、待機時間の経過後に用紙をインクジェットヘッドによる印写位置に搬送して、他方の面に印写し、排紙する構成としたので、両面印写の画像品質が安定し、小型化を図れる。
【発明を実施するための最良の形態】
【０００９】
以下、本発明の実施の形態を添付図面を参照して説明する。図１は本発明の第１実施形態に係るインクジェット記録装置の一例を示す機構部の概略構成図である。
【００１０】
このインクジェット記録装置は、記録装置本体１の内部に主走査方向に移動可能なキャリッジ、キャリッジに搭載したインクジェットヘッドからなる記録ヘッド、記録ヘッドへのインクを供給するインクカートリッジ等で構成される印字機構部２等を収納し、装置本体１の下方部には前方側から多数枚の用紙３を積載可能な給紙カセット（或いは給紙トレイでもよい。）４を抜き差し自在に装着することができ、また、前面側には手差しトレイ５を開閉自在に装着し、給紙カセット４から給送される用紙或いは手差しトレイ５にセットされる用紙３を取り込み、印字機構部２によって所要の画像を記録した後、後面側に装着された排紙トレイ６に排紙する。なお、上部には上カバー７を開閉可能に装着している。
【００１１】
印字機構部２は、図示しない左右の側板に横架した主ガイドロッド１１と従ガイドロッド１２とでキャリッジ１３を主走査方向（図１で紙面垂直方向）に摺動自在に保持し、このキャリッジ１３の下面側にはイエロー（Ｙ）、シアン（Ｃ）、マゼンタ（Ｍ）、ブラック（Ｂｋ）の各色のインク滴を吐出するノズルを有するインクジェットヘッドからなる記録ヘッド１４をインク滴吐出方向を下方に向けて装着し、キャリッジ５の上側には記録ヘッド１４に各色のインクを供給するための各インクタンク（インクカートリッジ）１５を交換可能に装着している。インクカートリッジ１５はカートリッジ押えレバー１６でキャリッジ１３に保持される。
【００１２】
ここで、記録ヘッド１４としては、各色のインク滴を吐出する複数個のヘッドを主走査方向に並べて配置したものでも、或いは、各色のインク滴を吐出するノズルを有する１個のヘッドを用いたものでもよい。また、記録ヘッド１４としては、圧電素子などの電気機械変換素子で振動板を変位させて液室内容積を変化させることでインクを加圧してインク滴を吐出させるもの、液室内に配設した発熱抵抗体による膜沸騰でバブルを発生させて液室内インクを加圧してインク滴を吐出させるもの、液室壁面を形成する振動板とこれに対向する電極を用いて、両者間の静電力で振動板を変位させてインク滴を吐出させるものなどを用いることができる。
【００１３】
一方、記録ヘッド１４による印写位置に対して用紙３を副走査方向に搬送するために、搬送ローラ２１と搬送従動ローラ２２との間に用紙３を静電吸着して、用紙３を略水平な搬送面に沿って搬送する搬送手段としての搬送ベルト２３を張装して配設し、この搬送ベルト２３を挟んで記録ヘッド１４と対向する位置に印写受け部材２４を設けている。そして、搬送ローラ２１には搬送ベルト２３を介して用紙３の送り角を規定する先端コロ２５を押し付けて配設している。
【００１４】
ここで、搬送ローラ２１は、両面印写時の用紙密着性を確保し、曲率分離をしない直径のもの、例えばφ３０ｍｍ以上のものが好ましい。また、搬送従動ローラ２２は、φ１６ｍｍ以下のものを使用し、用紙が曲率分離できるようにしている。さらに、搬送ベルト２３は、体積抵抗が１０８〜１０１１Ωの中抵抗部材からなるものを用いることで、用紙搬送に伴うチャージアップを防止して搬送性を確保することができる。
【００１５】
一方、給紙カセット４から用紙３を搬送ベルト２３上に給紙するため、用紙３を１枚ずつ分離して給送する給紙コロ２６及びフリクションパッド２７と、給送される用紙３を搬送ローラ２１に当接させて配設した中間コロ２８まで案内するガイド部材２９を設けている。給紙カセット４は、カセット本体３１に底板３２とこの底板３２と共に用紙載置面を形成する延長底部３３とを有し、延長底部３３の装着位置を変えることで用紙載置面の長さを選択できるようにして、カセット本体３１を越える大サイズの用紙も使用可能としている。また、延長底部３３には用紙後端を規制するエンドフェンス３４を無段階で長さ方向に移動可能に装着している。
【００１６】
また、手差しトレイ５から用紙３を搬送ベルト２３に給紙するため、手差しトレイ５の用紙３をピックアップするピックアップコロ３５と、用紙３を給送するフィードコロ３６と、フィードコロ３７と、用紙３を中間コロ２８まで案内するガイド部材３８とを設けている。
【００１７】
そして、印写が終了した用紙３を排紙トレイ６に排出すると共に、両面印写のときには片面印写が終了した用紙３を排紙トレイ６に送り出し、再度装置本体１内に給紙するため、用紙３を案内するガイド部材４１、４２、４３と、排紙と再給紙を切換えるための分岐爪４４と、用紙３を排紙トレイ６に送り出すと共に再給紙するための正逆回転可能な排紙ローラ４５と、排紙ローラ４５に従動する排紙ローラ４６とを設けている。
【００１８】
ここで、排紙ローラ４５は、図１に示すように、用紙３との接触箇所が搬送ベルト２３によって構成される略水平な搬送面よりも高い位置になるように配置されている。また、排紙ローラ４５の上流側に配置されたガイド部材４２の用紙３との接触面は、略水平な搬送面に対して排紙ローラ４５に向けて高くなるように傾斜している。
【００１９】
また、ガイド部材４２には用紙３を再給紙するために用紙３を搬送ベルト２３に給送するためのガイド部４２ａを一体形成し、このガイド部４２ａに沿って再給紙される用紙３を搬送する搬送ローラ２１に従動して用紙３を中間コロ２８まで送り込む搬送ローラ従動コロ４７を設けている。さらに、ガイド部材４１による搬送経路中には用紙３の通過を検知する用紙通過センサ４８を設けている。
【００２０】
次に、このインクジェット記録装置の制御部の概要について図２を参照して説明する。
この制御部は、この記録装置全体の制御を司るマイクロコンピュータ（以下、「ＣＰＵ」と称する。）５０と、必要な固定情報を格納したＲＯＭ５１と、ワーキングメモリ等として使用するＲＡＭ５２と、画像情報を処理したデータを格納する画像メモリ５３と、パラレル入出力（ＰＩＯ）ポート５４と、入力バッファ５５と、ゲートアレー（ＧＡ）或いはパラレル入出力（ＰＩＯ）ポート５６と、ヘッド駆動回路５７及びドライバ５８、５９等を備えている。
【００２１】
ここで、ＰＩＯポート５４にはホスト側からの画像情報の他、両面印刷を行うか否かを示す情報、用紙の種別を示す情報、図示しない操作パネルからの各種指示情報、用紙通過センサ４８からの検知信号、その他キャリッジ１３のホームポジション（基準位置）を検知するホームポジションセンサ等の各種センサからの信号等が入力され、またこのＰＩＯポート５４を介してホスト側や操作パネル側に対して所要の情報が送出される。
【００２２】
また、ヘッド駆動回路５７は、ＰＩＯポート５６を介して与えられる各種データ及び信号に基づいて、記録ヘッド（インクジェットヘッド）６の各ノズルに対応するエネルギー発生手段（圧電素子等の電気機械変換素子或いは発熱抵抗体等の電気熱変換素子、振動板又は電極など）の内の画像情報に応じた駆動ノズル（インク滴を吐出させるノズル）のエネルギー発生手段に対して駆動波形を印加する。なお、駆動波形としては、矩形パルス、三角波形、その他ｓｉｎ（サイン）波形等の形状を用いることができる。
【００２３】
さらに、ドライバ５８は、ＰＩＯポート５６を介して与えられる駆動データに応じてキャリッジ１３を主走査方向に走査させるモータ６１、搬送ローラ２１を用紙搬送方向（副走査方向）に回転させるモータ６２を各々駆動制御する。また、ドライバ５９は、ＰＩＯポート５６を介して与えられる駆動データに応じて排紙ローラ４５を回転させるモータ６３、分岐爪４４を揺動させるソレノイド６４を各々駆動制御する。
【００２４】
次に、このように構成したインクジェット記録装置の作用について図３乃至図６をも参照して説明する。図３を参照して、両面印写が指示された場合には、給紙コロ２６を回転駆動して給紙カセット４から用紙３を給送させることで、用紙３は搬送ローラ２１の搬送ベルト２３に送り込まれ、搬送ベルト２３に静電吸着されて副走査方向に搬送され、ここで、キャリッジ１３を主走査方向に移動させながら記録ヘッド１４のエネルギー発生手段を記録画像に応じて駆動することによって、用紙３の片面に所要の画像を印写する。
【００２５】
ここで、記録ヘッド１４による印写が終了した用紙３は、図４に示すように、分岐爪４４がイニシャル状態で排紙側に切り替わっているので、ガイド部材４１、分岐爪４４の上面、ガイド部材４２に案内され、排紙ローラ４５の正回転による排紙動作で装置本体１外である排紙トレイ６上に排紙される。
【００２６】
そして、片面印写が終了した後、用紙通過センサ４８が用紙３の後端を検知したか否かを判別し、用紙３の後端検知後予め定めた所定時間が経過したときに排紙ローラ４５の回転を停止する。このとき、所定時間としては、用紙３の後端が用紙通過センサ４８を通過した後排紙ローラ４５、４６間を通過しない距離だけ用紙３を搬送するに要する時間を設定している。したがって、排紙ローラ４５の回転を停止したとき、図５に示すように、用紙３の後端部（後端余白部分）が排紙ローラ４５，４６間に挟持された状態で停止する。
【００２７】
その後、図６に示すように、分岐爪４４を再給紙側に切り換えてガイド板４２のガイド部４２ａに沿う再給紙経路を開放した後、排紙ローラ４５を逆転することによって、同図に示すように用紙３はガイド板４２のガイド部４２ａに沿って再給紙され、中間ローラ４７で搬送ベルト２３に送り込まれる。この場合、用紙３を再給紙するときの紙送り線速は搬送ベルト２３の線速と略同速になるように設定している。これによって、用紙３が搬送ベルト２３に印写面を擦られない状態で搬送ベルト２３に密着させながら給紙することができる。
【００２８】
このようにして再給紙された用紙３は搬送ベルト２３で搬送されながら、記録ヘッド１４によって他の片面に画像が記録される。このとき、用紙３の後端（最初の印写時の前端）が排紙ローラ４５，４６間を通過したタイミングで、分岐爪４４を排紙側に切り換えるとともに、排紙ローラ４５を正転して用紙３を排紙可能な状態にする。
【００２９】
これにより、記録ヘッド１４による他の片面への印写が終了した用紙３は分岐爪４４を経て排紙ローラ４５，４６で送られながら再度排紙トレイ６に排出され、印写終了後用紙３を完全に排紙トレイ６に排紙し終わるまで排紙動作を行って排紙する。
【００３０】
このように用紙の片面に印写した後、用紙の少なくとも一部を一旦装置本体外、ここでは排紙トレイに排出することによって、記録ヘッド（記録手段）が１個で済むとともに、装置本体内の構成が簡単になり、また両面印写のためのインク滴の乾燥時間を稼ぐことができて、印写品質を向上させることができる。この場合、用紙の印写面を装置本体外に排出することで、インク滴が付着した印写面を装置本体外で乾燥させることができ、印写品質を向上することができる。
【００３１】
また、両面印写のために用紙をスイッチバック方式で反転して再給紙することで、両面印写を行なうための構成が簡単になると共に、インク乾燥時間を確保しつつ、他の処理を行なうことも可能になる。さらに、装置本体外に一端排紙するために排紙トレイを用いることによって、両面印写のために別途専用のトレイを設ける必要がなくなって、構成が簡単になる。
【００３２】
さらに、用紙を搬送ベルトを用いた搬送手段で印写位置に搬送することによって、片面印写が終了した用紙の印写面を擦らないように搬送することができ、用紙を再給紙するときの紙送り線速が搬送ベルトの線速と略同速にすることで、インク滴が付着した印写面を擦ることなく再給紙することができる。
【００３３】
次に、本発明の第２実施形態について図７乃至図９を参照して説明する。なお、図７は同実施形態に係るインクジェット記録装置の機構部の要部拡大説明図、図８は同記録装置の制御部の概要を示すブロック図、図９は同記録装置の作用説明に供するフロー図である。
【００３４】
この実施形態は、装置本体１の内部後方（排紙側）に排紙された用紙３に温風を吹き付ける乾燥手段である空冷ファン７１を配設したものである。そして、制御部は、ドライバ５９によってこの空冷ファン７１を駆動制御するようにしている。空冷ファン７１としては、紙面に一様に風を当てることが好ましいので、紙幅に相当するクロスファーファンを用いることが好ましい。なお、その他の機構部及び制御部の構成は図示のとおり前記第１実施形態と同じである。
【００３５】
この実施形態の作用について図９を参照して説明すると、前記第１実施形態と同様に給紙カセット４から用紙３を給紙し、所定のタイミングで空冷ファン７１の駆動を開始して、記録動作で用紙３の片面に印写しながら排紙ローラ４５を正転して用紙３を排紙トレイ６上に一旦排出する。このとき、排紙トレイ６に向かってファン７１からの風が吹き付けられているので、片面印写が終了して排紙トレイ６上に排出される用紙３の印写面にはファン７１からの風が当たり、印写面に付着したインクの乾燥が促進される。
【００３６】
その後、排紙ローラ４５、４６間で用紙３の後端を挟持できるタイミングで排紙ローラ４５を停止し、ファン７１を停止した後、分岐爪４４の再給紙側への切替、排紙ローラ４５の逆転を行って、用紙３をスイッチバック方式で再給紙して他の片面に印写を行い、排紙トレイ６に排紙する。なお、ファン７１は再給紙完了後に停止しても良いし、あるいは、両面印写終了後に停止しても良く、特にそのタイミングが限定されるものではない。また、片面印写に用いたインク量に応じてファン７１の駆動時間を制御することもできる。
【００３７】
このように、装置本体外で片面印写が終了した用紙のインクを乾燥させる（乾燥を促進することを含む意味である。）乾燥手段を設けることによって、再給紙時に印写面の未乾燥のインクが擦れるなどして画像品質が低下することを確実に防止できる。
【００３８】
次に、本発明の第３実施形態について図１０を参照して説明する。なお、同図は同実施形態に係るインクジェット記録装置の機構部の要部拡大説明図である。
この実施形態は、乾燥手段として、上記各実施形態の排紙ローラ４５に代えて、内部にヒータ７３を配設したローラであるヒータローラからなる排紙ローラ７２を用いている。この排紙ローラ７２のヒータ７３の駆動制御は前述した第２実施形態の制御部のファン７１をヒータ７３に代えることにより、ドライバ５９によって行うようにしている。
【００３９】
したがって、前述した第２実施形態におけるファン７１の駆動タイミングと同様なタイミングで排紙ローラ７２のヒータ７３をオン状態（発熱状態）にすることで、片面印写が行われた用紙３は、排紙ローラ７２で搬送されつつその熱でインクが乾燥されながら排紙トレイ６に一旦排出される。この場合も、用紙３を再給紙する前にヒータ７３をオフ状態にするようにしているが、再給紙完了後、或いは両面印写終了後にオフ状態にしても良く、特にそのタイミングは限定されるものではない。また、片面印写に用いたインク量に応じてヒータの駆動時間を制御することもできる。
【００４０】
このように排紙ローラに乾燥手段の機能をも持たせることによって、構成が簡単になる。なお、ここでは、排紙ローラに乾燥手段の機能を持たせているが、印写位置より下流側で用紙搬送経路近傍に配置したローラ部材に乾燥手段の機能を持たせることもできる。また、ローラ部材に限らず、例えば用紙搬送経路を形成するガイド部材に乾燥手段の機能を持たせることもできる。
【００４１】
次に、本発明の第４実施形態について図１１乃至図１３を参照して説明する。なお、図１１は同実施形態に係るインクジェット記録装置の機構部の要部拡大説明図、図１２は同記録装置の制御部の概要を示すブロック図、図１３は同記録装置の作用説明に供するフロー図である。
【００４２】
この実施形態は片面印写が終了した用紙３を排紙トレイ６ではなく給紙カセット４上に一旦排紙するようにしたものである。すなわち、印写が終了した用紙３を排紙トレイ６に排出するため、用紙３を案内するガイド部材８１と、用紙３を排紙トレイ６に送り出す排紙ローラ８２と、排紙従動コロ８３とを設けている。なお、排紙ローラ８２は用紙３を送り出す方向のみに回転可能であれば良く、排紙ローラ４５のように正逆回転可能であることまでは必要がない。
【００４３】
また、印写が終了した用紙３を一旦装置本体１外に排出した後再度搬送ベルト２３に給紙して両面印写を行うために、記録ヘッド４による印写位置を通過した用紙３を排紙トレイ６と給紙カセット４との間に向かって斜め下方に案内するガイド部材８５を設け、このガイド部材８５と排紙側のガイド部材８１との入口付近には、用紙３の排出経路を分岐するための第１分岐爪８６を揺動可能に設けている。
【００４４】
また、ガイド部材８５の終端部付近には、用紙３を装置本体１外の給紙カセット４の上面（これを、再給紙のために用紙が待機する位置、すなわち、両面印写用紙待機位置とする。）に向けて排出すると共に、用紙３を再度装置本体１内に送り込むためのスイッチバックローラ８７及びスイッチバック従動コロ８８を設けている。このスイッチバックローラ８７は片面への印写が終了した用紙３を排出方向に搬送するときには正転され、用紙３を再給紙するときには逆転されるとともに、用紙３の排出時に用紙３の排出方向後端部を挟持するために所定のタイミングで停止される。
【００４５】
さらに、スイッチバックローラ８７及びスイッチバック従動コロ８８の用紙排出方向上流側には、用紙３の搬送経路を装置本体１外への排出経路と再度用紙３を装置本体１内に再給紙する経路とに切り替える第２分岐爪８９を揺動自在に配設し、スイッチバックローラ８７の逆方向回転で装置本体１内に送り込まれる用紙３を搬送ベルト２３に給送するために、用紙３を案内するガイド部材９１と、用紙３を搬送する両面中継ローラ９２及び両面中継ローラ従動コロ９３と、搬送ローラ２１に従動して用紙３を中間コロ２８まで送り込む搬送ローラ従動コロ４７とを設けている。
【００４６】
また、給紙カセット４上に一旦排出された用紙３を乾燥させるため、輻射熱で用紙３を乾燥させる乾燥手段であるヒータ９５を用紙３の両面印写用紙待機位置の上方に配置し、このヒータ９５を覆うカバー９６を装置本体１と一体的に設けている。
【００４７】
そして、このインクジェット記録装置の制御部においては、図１２に示すように、ドライバ５８は、ＰＩＯポート５６を介して与えられる駆動データに応じてキャリッジ１３を主走査方向に走査させるモータ６１、搬送ローラ２１を用紙搬送方向（副走査方向）に回転させるモータ６２と共に、スイッチバックローラ８７を回転させるモータ１０１を各々駆動制御する。また、ドライバ５９は、ＰＩＯポート５６を介して与えられる駆動データに応じて第１分岐爪４６及び第２分岐爪４９を揺動させるソレノイド１０２，１０３を各々駆動制御すると共に、ヒータ９５のオン／オフ駆動をするようにしている。
【００４８】
次に、このように構成したインクジェット記録装置の作用について図１３をも参照して説明する。両面印写が指示されたときには、図１１に示すように第１分岐爪８６を両面印写側に切り替え、第２分岐爪８９を排出側に切り替え、スイッチバックローラ８７を正転（用紙を装置外に排出する方向に回転）させる。また、給紙コロ２６を回転駆動して給紙カセット４から用紙３を給紙し、ヒータ９５をオン状態にする。給紙された用紙３は搬送ローラ２１の搬送ベルト２３に送り込まれ、搬送ベルト２３に静電吸着されて副走査方向に搬送され、ここで、キャリッジ１３を主走査方向に移動させながら記録ヘッド１４によって用紙３の片面に所要の画像を印写する。
【００４９】
ここで、記録ヘッド１４による印写が終了した用紙３は、第１分岐爪８６が両面印写側に切り替わっているので、ガイド部材８５に案内されてスイッチバックローラ８７及びスイッチバック従動コロ８８間に送り込まれ、これらのスイッチバックローラ８７及びスイッチバック従動コロ８８で搬送されて、図７に示すように装置本体１外に排出される。
【００５０】
このとき、スイッチバックローラ８７及びスイッチバック従動コロ８８間に用紙３の後端部が位置したタイミングでスイッチバックローラ８７を停止し、同図に示すように用紙３の端部を挟持した状態を維持する。この状態で、装置本体１外に排出された用紙３の印写面にはヒータ９５の輻射熱が与えられるので、用紙３のインクの乾燥が促進される。
【００５１】
その後、ヒータ９５をオフ状態にし、第１分岐爪８６を排紙側に切替え、第２分岐爪８９を再給紙側に切替えた後、スイッチバックローラ８７を逆転し、中間ローラ９２を駆動することで、スイッチバックローラ８７及びスイッチバック従動コロ８８間で端部を挟持していた用紙３をガイド部材９１で案内しながら、中間ローラ９２で搬送ベルト２３に再給紙する。
【００５２】
このようにして再給紙された用紙３は搬送ベルト２３で搬送されながら、記録ヘッド１４によって他の片面に画像が記録され、記録ヘッド１４による印写が終了した用紙３は第１分岐爪８６を経て排紙側のガイド部材８１に案内されて、排紙ローラ８２及び排紙コロ８３間で搬送されて排紙トレイ６に排紙される。
【００５３】
このように片面印写が終了した用紙を装置本体外である給紙カセット上に一旦排紙するようにしても、前記第１実施形態と同様の作用効果が得られると共に、両面印写のために用紙をインクジェットヘッドによる印写位置よりも下方に排出することによって、インク滴が付着して重くなっている用紙を安定して両面印写待機位置に排出することができる。この場合、両面印写待機位置は用紙をセットする給紙トレイや給紙カセットなどの給紙手段の上面とすることで、両面印写のために別途専用のトレイを設ける必要がなくなって、構成が簡単になる。
【００５４】
なお、この実施形態において、ヒータ９５を設ける代わりに、スイッチバックローラ８７に前述した排紙ローラ７２と同様ヒータローラを用いることもできる。
【００５５】
次に、本発明の第５実施形態について図１４を参照して説明する。この実施形態は、上記各実施形態とも組み合せることが可能であり、片面印写後のインク付着量に応じた待機時間経過後に再給紙を行うようにしたものである。なお、ここでは機構部及び制御部の構成は前記第１実施形態のものに適用して説明する。
【００５６】
すなわち、前述した第１実施形態と同様（図３と同様）にして片面印写が終了した用紙３の後端部を排紙ローラ４５，４６間で挟持した状態になったとき、使用したインク量（用紙３に打ち込んだインク滴の量）に応じた待機時間を設定する。
【００５７】
この待機時間は、用紙３に着弾したインク滴が自然乾燥するに要する時間を設定している。この場合、使用したインク量は、画像データに占める黒（カラーを含む）ドット数を計数することで判別できる。なお、この実施形態を第２実施形態以降の乾燥手段を有する記録装置に適用する場合には、乾燥手段によってインク滴が乾燥するに要する時間として設定すれば良い。
【００５８】
そして、設定した待機時間が経過したか否かを判別し、待機時間が経過した後、排紙ローラ４５を逆転して再給紙し、他の片面にも印写して排紙トレイ６に排紙することは前記図３の場合と同様である。
【００５９】
このように、使用したインク量に応じて再給紙までの待機時間を設定することによって、確実に印写面のインク滴が乾燥してから再給紙することができて、印写面の汚れなどが生じることがなく、また、乾燥手段を有する場合には、イン斜面の汚れを確実に防止しつつ乾燥手段の不要な駆動を制限することができる。
【００６０】
以上説明したように、用紙の片面に印写した後、用紙の少なくとも一部を一旦排紙トレイ上に排出する構成としたので、簡単な構成で両面印写を行うことができるとともに、インク滴の乾燥時間を確保することができ、また、印写面が擦られる状態を抑えることができて印写品質が向上する。
【００６１】
また、片面印写後の用紙を乾燥する乾燥手段を備えていることで、片面印写後の用紙のインクを確実に乾燥することができて、印写品質が向上する。
【００６２】
ここで、片面印写後の用紙の少なくとも一部を装置本体外に排出し、乾燥手段は装置本体外で用紙を乾燥させるようにすることで、簡単な構成で両面印写が可能になると共に印写品質が向上する。この場合、乾燥手段には用紙に風を吹き付ける手段を用いることで、インクを乾燥させる構成が簡単になる。
【００６３】
また、乾燥手段として印写位置より下流側で用紙を搬送するローラ部材を用いることによって、別途乾燥手段を設ける必要がなくなって構成が簡単になる。この場合、ローラ部材としては内部にヒータを設けた排紙ローラとすることで、より構成が簡単になる。さらに、乾燥手段としてヒータからの輻射熱で用紙を乾燥させるものを用いることで、より確実にインクを乾燥することができる。
【図面の簡単な説明】
【００６４】
【図１】本発明の第１実施形態に係るインクジェット記録装置の機構部を示す構成図である。
【図２】同記録装置の制御部の概要を説明するブロック図である。
【図３】同記録装置の両面印写作用の説明に供するフロー図である。
【図４】同作用説明に供する要部拡大説明図である。
【図５】同作用説明に供する要部拡大説明図である。
【図６】同作用説明に供する要部拡大説明図である。
【図７】本発明の第２実施形態に係るインクジェット記録装置の機構部の要部拡大説明図である。
【図８】同記録装置の制御部の概要を説明するブロック図である。
【図９】同記録装置の両面印写作用の説明に供するフロー図である。
【図１０】本発明の第３実施形態に係るインクジェット記録装置の機構部の要部拡大説明図である。
【図１１】本発明の第４実施形態に係るインクジェット記録装置の機構部の要部拡大説明図である。
【図１２】同記録装置の制御部の概要を説明するブロック図である。
【図１３】同記録装置の両面印写作用の説明に供するフロー図である。
【図１４】本発明の第５実施形態に係るインクジェット記録装置の両面印写作用の説明に供するフロー図である。
【符号の説明】
【００６５】
１…装置本体
２…印写機構部
３…用紙
４…給紙カセット
６…排紙トレイ
１３…キャリッジ
１４…記録ヘッド
２１…搬送ローラ
２３…搬送ベルト
４４…分岐爪
４５…排紙ローラ
７１…ファン
７２…ヒータ付き排紙ローラ
８２…排紙ローラ
８６…第１分岐爪
８７…スイッチバックローラ
８９…第２分岐爪
【図１】
2008080808.tif 000003
【図２】
2008080808.tif 000004
【図３】
2008080808.tif 000005
【図４】
2008080808.tif 000006
【図５】
2008080808.tif 000007
【図６】
2008080808.tif 000008
【図７】
2008080808.tif 000009
【図８】
2008080808.tif 000010
【図９】
2008080808.tif 000011
【図１０】
2008080808.tif 000012
【図１１】
2008080808.tif 000013
【図１２】
2008080808.tif 000014
【図１３】
2008080808.tif 000015
【図１４】
2008080808.tif 000016